(57)【要約】      （修正有）【課題】手動で引戸等を早く閉めたときに、牽引手段が緩むことがなく、牽引手段を張った状態に維持して確実にプーリに巻回することが可能な自閉式引戸クローザを提供する。【解決手段】ゼンマイユニット３と、ダンパーユニット４と、引戸を牽引可能な牽引手段２０とを備えた自閉式引戸クローザ１である。ゼンマイユニット３には、ゼンマイプーリ６と、一端をシャフト５に固定するとともに他端をゼンマイプーリ６に固定し、弾性復帰力を用いてゼンマイプーリ６を回転させて牽引手段を収納可能なゼンマイ７とを備えている。ダンパーユニット４には、ダンパー９と、ダンパープーリ１０と、牽引手段２０を案内する回転自在なフリープーリ１１と、離間手段１８とを備えている。ゼンマイプーリ６の外周端面２３とダンパープーリ１０の外周端面２２とは接触可能或いは係合可能な構成の自閉式引戸クローザ１である。【選択図】図１Ｂ
2007126832.tif 000002
【特許請求の範囲】
【請求項１】
ゼンマイユニットと、ダンパーユニットと、引戸を牽引可能な牽引手段とを備えた自閉式引戸クローザであって、
前記ゼンマイユニットには、ケース本体に設けられたシャフトと、前記シャフトの周りに配置されたゼンマイプーリと、前記シャフトとゼンマイプーリ間に配置され、かつ、一端をシャフトに固定するとともに他端を前記ゼンマイプーリに固定し、弾性復帰力を用いてゼンマイプーリを回転させて牽引手段を収納可能なゼンマイとを備え、
前記ダンパーユニットには、ワイヤー巻き戻し方向によりダンパー機能を付与するダンパーと、このダンパーと一体回転可能なダンパープーリと、前記牽引手段を案内する回転自在なフリープーリと、前記ダンパーユニットを前記ゼンマイプーリから離間する方向に力を作用させる離間手段とを備え、
前記ゼンマイプーリの外周端面と前記ダンパープーリの外周端面とが接触可能或いは係合可能な構成であることを特徴とする自閉式引戸クローザ。
【請求項２】
ゼンマイユニットと、ダンパーユニットと、引戸を牽引可能な牽引手段とを備えた自閉式引戸クローザであって、
前記ゼンマイユニットには、ケース本体に設けられたシャフトと、前記シャフトの周りに配置されたゼンマイプーリと、前記シャフトとゼンマイプーリ間に配置され、かつ、一端をシャフトに固定するとともに他端を前記ゼンマイプーリに固定し、弾性復帰力を用いてゼンマイプーリを回転させて牽引手段を収納可能なゼンマイとを備え、
前記ダンパーユニットには、ワイヤー巻き戻し方向によりダンパー機能を付与するダンパーと、このダンパーと一体回転可能なダンパープーリと、前記牽引手段を案内する回転自在なフリープーリと、前記ダンパーユニットを中間プーリから離間する方向に力を作用させる離間手段とを備え、
前記ゼンマイプーリと前記ダンパープーリとの間に前記中間プーリを備え、
前記ゼンマイプーリの外周端面と前記中間プーリの外周端面と前記ダンパープーリの外周端面とが接触可能或いは係合可能な構成であることを特徴とする自閉式引戸クローザ。
【請求項３】
前記ゼンマイプーリの外周端面と前記ダンパープーリの外周端面が弾性体どうしの組み合わせ、又は、歯車状の溝と弾性体の組み合わせであり、これらの両プーリの外周端面が接触可能或いは係合可能な構成であることを特徴とする請求項１に記載の自閉式引戸クローザ。
【請求項４】
前記ゼンマイプーリの外周端面と中間プーリの外周端面と前記ダンパープーリの外周端面が弾性体どうしの組み合わせ、又は、歯車状の溝と弾性体の組み合わせであり、これらのプーリの外周端面が接触可能或いは、係合可能な構成であることを特徴とする請求項２に記載の自閉式引戸クローザ。
【請求項５】
前記ゼンマイプーリの外周端面と前記ダンパプーリの外周端面がＶ溝と山形状又はアール形状の組み合わせで、これらの両プーリの外周端面が接触可能或いは係合可能な構成であることを特徴とする請求項１に記載の自閉式引戸クローザ。
【請求項６】
前記牽引手段が、ワイヤー、ベルト、ロープ、テープ、バンド、チェーンのいずれかであることを特徴とする請求項１〜５のいずれか１項に記載の自閉式引戸クローザ。
【請求項７】
前記離間手段が、スプリング、ゴム、錘のいずれかであることを特徴とする請求項１〜６のいずれか１項に記載の自閉式引戸クローザ。
【請求項８】
前記フリープーリが前記ダンパーと前記ダンパープーリとの間に配置されていることを特徴とする請求項１〜７のいずれか１項に記載の自閉式引戸クローザ。
【請求項９】
前記フリープーリとダンパープーリとがクラッチプレートに配置されていることを特徴とする請求項１〜８のいずれか１項に記載の自閉式クローザ。
【請求項１０】
前記牽引手段の方向を転換させる反転プーリが備えられていることを特徴とする請求項１〜９のいずれか１項に記載の自閉式引戸クローザ。
【請求項１１】
前記本体ケースには、引戸を開けた際に、前記ゼンマイプーリに当接する当節部材が備えられていることを特徴とする請求項１〜１０のいずれか１項に記載の自閉式引戸クローザ。
【請求項１２】
前記本体ケースには、ストップローラとロックプレートが設けられていることを特徴とする請求項１〜１１のいずれか１項に記載の自閉式引戸クローザ。
【発明の詳細な説明】
【技術分野】
【０００１】
本発明は、ゼンマイの弾性復帰力を利用してワイヤー等の牽引手段により引戸等を自動的に閉止する自閉式引戸クローザに関し、特に、ダンパー機能をもったクローザであって、低速にて扉を閉止する自閉式引戸クローザに関する。
【背景技術】
【０００２】
ダンパーを備えた自閉式引戸クローザは、従来より知られており一例として下記の２つの文献を紹介する。特許文献１に記載された速度調整式ぜんまいユニットは、図１１に示すように、ブラケット１００にロータリーダンパー１０１とぜんまいケース１０２が並設され、ぜんまいケース１０２の内部にワイヤーリール１０３が回転自在に収容されている。ワイヤーリール１０３には、ワイヤー１０５が巻回されると共にメインギア１０４が設けられ、ロータリーダンパー１０１にもギア１０６が設けられており、メインギア１０４とギア１０６の間にアイドルギア１０７が配置されている。メインギア１０４はアイドルギア１０７とかみ合い、更にアイドルギア１０７がロータリーダンパー１０１のギア１０６とかみ合っている。引戸等を自動的に閉じるときには、ぜんまいによりワイヤーリール１０３を回転されてワイヤー１０５を収納していくとともに、ロータリーダンパー１０１により抵抗力を付与されるので、ワイヤー１０５が低速でワイヤーリール１０３に収容される結果、引戸等も低速にて閉じられていくこととなる。
【０００３】
特許文献２に記載された引戸閉止装置は、図１２に示すように、ダンパユニット２０１とぜんまいユニット２０２とを備え、ダンパユニット２０１の胴巻部２０３に１回転以上ワイヤーＷを巻回しすると共に、ぜんまいユニット２０２の胴巻部２０５にワイヤーＷが巻回されて収容可能となっている。引戸等を自動的に閉める際は、ぜんまい２０４の弾性復帰力により胴巻部２０５が回転されてワイヤーを収容するとともに、ダンパユニットにより抵抗力が働き、低速でワイヤーＷが引き込まれ、従って、引戸等が低速にて閉止されていくこととなる。
【０００４】
【特許文献１】特開２０００−１３０００４号公報
【特許文献２】実用新案登録第３１０１７４３号明細書
【発明の開示】
【発明が解決しようとする課題】
【０００５】
上述した２つの文献の自閉式引戸クローザでは、引戸等が自動的に閉まるときに、ばねの弾性復帰力とダンパーとを利用してワイヤーを引き込んでいるので、引戸等が急激に閉じてしまうのを防止し、低速でゆっくりと静かに引戸等を閉めることができる。
これらの自閉式引戸クローザを備えた引戸等であっても、部屋を暖房中や冷房中であるときなどは、手動で早く閉めようとすることがある。特許文献１に記載の自閉式引戸クローザを備えた引戸等を手動で早く閉めた場合、複数のギアがかみ合っているため、ロータリーダンパー１０１の抵抗によりワイヤー１０５が緩んでしまうことがある。
特許文献２記載の自閉式引戸クローザでは、ダンパユニット２０１の胴巻部２０３に１回転以上ワイヤーＷを巻回しているが、胴巻部２０３とワイヤーＷとの間の抵抗力が小さいとワイヤーＷが胴巻部２０３をすべってしまい、ダンパユニット２０１の抵抗力が働かず、ぜんまい２０４の力のみの高速での自動閉止となってしまうことがある。そのため、ワイヤーＷが胴巻部２０３に張り付かせるために、ワイヤーＷを胴巻部２０３に複数巻回させることがあるが、ワイヤーＷの巻数が多いと、巻き乱れが生じ、この巻き乱れがきっかけとなってダンパユニット２０１の回転が止まってしまったり、回転速度が乱れてしまうことがある。また、手動で扉等を早くしめた場合、ワイヤーＷが緩み、ダンパユニット２０１の胴巻部２０３に巻き乱れが生じたり、ワイヤーＷが外れてしまうことが考えられる。
【０００６】
本発明の目的は、ダンパー機能を確実に発揮することができるとともに、手動で引戸等を早く閉めたときに、牽引手段が緩むことがなく、また、プーリから牽引手段が外れることがないように牽引手段を張った状態に維持して確実にプーリに巻回することが可能な自閉式引戸クローザを提供する。
【課題を解決するための手段】
【０００７】
本発明に係る自閉式引戸クローザは、ゼンマイユニットと、ダンパーユニットと、引戸を牽引可能な牽引手段とを備えた自閉式引戸クローザであって、前記ゼンマイユニットには、ケース本体に設けられたシャフトと、前記シャフトの周りに配置されたゼンマイプーリと、前記シャフトとゼンマイプーリ間に配置され、かつ、一端をシャフトに固定するとともに他端を前記ゼンマイプーリに固定し、弾性復帰力を用いてゼンマイプーリを回転させて牽引手段を収納可能なゼンマイとを備え、前記ダンパーユニットには、ワイヤー巻き戻し方向によりダンパー機能を付与するダンパーと、このダンパーと一体回転可能なダンパープーリと、前記牽引手段を案内する回転自在なフリープーリと、前記ダンパーユニットを前記ゼンマイプーリから離間する方向に力を作用させる離間手段とを備え、前記ゼンマイプーリの外周端面と前記ダンパープーリの外周端面とが接触可能或いは係合可能な構成である。
【０００８】
上記構成の自閉式引戸クローザによれば、ゼンマイプーリとダンパープーリとが接触或いは係合することで確実にダンパー機能を発揮することができる。更に、離間手段を備えているので、手動にて引戸等を早くしめた場合でも、離間手段が作用して、ゼンマイプーリとダンパープーリとを離すので、牽引手段はフリープーリを介して迅速にゼンマイプーリに巻回することができ、従って、牽引手段が緩むことなく、張った状態でゼンマイプーリに収容することができる。
【０００９】
また、本発明に係る自閉式引戸クローザは、ゼンマイユニットと、ダンパーユニットと、引戸を牽引可能な牽引手段とを備えた自閉式引戸クローザであって、前記ゼンマイユニットには、ケース本体に設けられたシャフトと、前記シャフトの周りに配置されたゼンマイプーリと、前記シャフトとゼンマイプーリ間に配置され、かつ、一端をシャフトに固定するとともに他端を前記ゼンマイプーリに固定し、弾性復帰力を用いてゼンマイプーリを回転させて牽引手段を収納可能なゼンマイとを備え、前記ダンパーユニットには、ワイヤー巻き戻し方向によりダンパー機能を付与するダンパーと、このダンパーと一体回転可能なダンパープーリと、前記牽引手段を案内する回転自在なフリープーリと、前記ダンパーユニットを中間プーリから離間する方向に力を作用させる離間手段とを備え、前記ゼンマイプーリと前記ダンパープーリとの間に前記中間プーリを備え、前記ゼンマイプーリの外周端面と前記中間プーリの外周端面と前記ダンパープーリの外周端面とが接触可能或いは係合可能な構成である。
【００１０】
また、本発明に係る自閉式引戸クローザは、前記ゼンマイプーリの外周端面と前記ダンパープーリの外周端面が弾性体どうしの組み合わせ、又は、歯車状の溝と弾性体の組み合わせであり、これらの両プーリの外周端面が接触可能或いは係合可能な構成であることが望ましい。
【００１１】
また、本発明に係る自閉式引戸クローザは、前記ゼンマイプーリの外周端面と中間プーリの外周端面と前記ダンパープーリの外周端面が弾性体どうしの組み合わせ、又は、歯車状の溝と弾性体の組み合わせであり、これらのプーリの外周端面が接触可能或いは、係合可能な構成であることが望ましい。
【００１２】
また、本発明に係る自閉式引戸クローザは、前記ゼンマイプーリの外周端面と前記ダンパプーリの外周端面がＶ溝と山形状又はアール形状の組み合わせで、これらの両プーリの外周端面が接触可能或いは係合可能な構成であることが望ましい。
【００１３】
また、本発明に係る自閉式引戸クローザは、前記牽引手段が、ワイヤー、ベルト、ロープ、テープ、バンド、チェーンのいずれかであることが望ましく、また、前記離間手段が、スプリング、ゴム、錘のいずれかであることが望ましい。
【００１４】
また、本発明に係る自閉式引戸クローザは、前記フリープーリが前記ダンパーと前記ダンパープーリとの間に配置されていてもよく、また、前記フリープーリとダンパープーリとがクラッチプレートに配置されていてもよい。
【００１５】
また、本発明に係る自閉式引戸クローザは、前記牽引手段の方向を転換させる反転プーリが備えられていることが望ましい。
【００１６】
また、本発明に係る自閉式引戸クローザは、前記本体ケースには、引戸を開けた際に、前記ゼンマイプーリに当接する当節部材が備えられていることが望ましい。
【００１７】
また、本発明に係る自閉式引戸クローザは、前記本体ケースには、ストップローラとロックプレートが設けられていることが望ましい。
【発明の効果】
【００１８】
本発明によれば、ダンパー機能を確実に発揮することができるとともに、手動で引戸等を閉めたときに、牽引手段が緩むことがなく、また、プーリから牽引手段が外れることがないように牽引手段を張った状態に維持して確実にプーリに巻回することが可能な自閉式引戸クローザを提供することができる。
【発明を実施するための最良の形態】
【００１９】
本発明に係る自閉式引戸クローザの実施形態を図面を参照しながら詳細に説明する。図１Ａは本発明に係る自閉式引戸クローザの一実施形態を示す斜視図であり、図１Ｂは側面方向からの説明図であり、図１Ｃは上面方向からの説明図である。自閉式引戸クローザ１は、ケース本体２を備え、このケース本体２内にゼンマイユニット３とダンパーユニット４とが配置されている。ゼンマイユニット３は、ケース本体２内に設けられたシャフト５の周りにゼンマイプーリ６が回転可能に配置されており、シャフト５とゼンマイプーリ６との間にゼンマイ７が配置されている。
【００２０】
ゼンマイ７は、一端がシャフト５に固定されているとともに他端がゼンマイプーリ６に固定されており、ゼンマイプーリ６の回転により弾性変形して圧縮されたり、逆に、圧縮されたゼンマイ７の弾性復帰力でもってゼンマイプーリ６を回転させることができる。通常の使用状態では、シャフト５はケース本体２に固定され回転できないが、使用前等において、ゼンマイの圧縮力や弾性復帰力を調整するために、シャフト５が本体ケース２から固定解除することができる。一例として、シャフト５に取り付けられた調整ツマミ（図示せず）でもって、本体ケース２からシャフト５を固定解除し、ツマミを回してゼンマイの力を強くしたり、弱くしたりすることができる。
【００２１】
ダンパーユニット４は、ダンパー９を有し、ダンパー９にはダンパー機能を伝えるダンパーシャフト８を組み込んでいる。このダンパーシャフト８にダンパープーリ１０とが一体回転可能に固定されている。ダンパー９とダンパープーリ１０との間には、フリープーリ１１が配置され、ダンパーシャフト８に対し自由回転可能な構成となっている。フリープーリ１１は、その溝内において牽引手段の一例であるワイヤー２０を案内し、案内されたワイヤー２０はゼンマイプーリ６に巻き取られていったり、逆にゼンマイプーリ６に収容されているワイヤー２０をフリープーリ１１を介して送り出すことができる。ダンパーシャフト８は、その両端で支持プレート１２、１３の一方端部付近で支持されるとともに、支持プレート１２、１３の支持孔１４、１４に対し回転自在である。
【００２２】
支持プレート１２、１３の他方端部付近には、孔１５、１５が形成され、これらの孔１５、１５を固定シャフト１６通過している。固定シャフト１６は、本体ケース２に固定して取り付けられているとともに、孔１５、１５とは固定されておらず、従って、支持プレート１２、１３が固定シャフト１６に対し揺動可能となっている。２つの支持プレート１２、１３の一方において、支持プレート（１２又は１３）の長手方向の中間付近には、突起１７が設けられており、この突起１７に離間手段の一例であるスプリング１８の一方端部が係止されている。スプリング１８の他方端部はケース本体２に設けられた突起１９に係止され、このスプリング１８によりケース側の突起１９の方向に支持プレート１２、１３を付勢する力が作用している。
【００２３】
次に、本発明に係る自閉式引戸クローザの使用方法について説明する。ここでは、使用方法の一例として自閉式引戸クローザを引戸に取り付けた場合について説明する。引戸の一例としては、互いに平行、かつ横方向に移動可能な２枚の引戸のうちの一方の引戸を移動させることで部屋の入り口を開閉させる引戸の形式がある。２枚の引戸の回りには家屋の壁等があり、この壁と２枚の引戸との間にフレームが壁側に固定してあり、フレームと２枚の引戸により、家屋の部屋どうし、或いは部屋と廊下等が仕切られる場合を一例として説明する。通常の使用では、自閉式引戸クローザ１は引戸の上端部で、引戸を開け始める側の近いところに設置され、ワイヤー２０の環状部２１は引戸を開け始める側の側部のフレームの上部に固定されたフック等に固定される。
【００２４】
引戸が閉じた状態では、ワイヤー２０はゼンマイプーリ６に巻き取られており、ワイヤー２０の一方端に形成された環状部２１が家屋の壁のフレーム（図示せず）に固定されたフック等に取り付けられている。ワイヤー２０は、一方端部の環状部２１からフリープーリ１１の間は、上側のフレームと略平行であって、フリープーリ１１により曲げて案内されゼンマイプーリ６に収容されている。また、引戸が閉じた状態では、ワイヤー２０をゼンマイプーリ６に巻き込む方向にゼンマイ７の力が作用しており、ワイヤー２０は、環状部２１からゼンマイプーリ６のところまで緊張されてワイヤー２０が張った状態となっている。
【００２５】
このワイヤー２０の緊張により、ダンパーユニット４のダンパープーリ１０とゼンマイユニット３のゼンマイプーリ６とが接触している。すなわち、スプリング１８がゼンマイプーリ６からダンパープーリ１０を離間させる方向に作用する力よりもゼンマイ７がワイヤー２０をゼンマイプーリ６に引き込む力の方が大きいため、ダンパープーリ１０の外周端面２２とゼンマイプーリ６の外周端面２３とが互いに接触している。このような引戸を閉じた状態から、一例として、図１Ｂの矢印Ａに示す方向に手動で引戸を開けていくと、ワイヤー２０の環状部２１がフレームのフック等に固定されているので、図１Ｂの矢印Ｂに示す方向に、ゼンマイプーリ６からワイヤー２０がフリープーリ１１へと送り出されていく。また、ワイヤー２０が送り出されていくと、ゼンマイプーリ６が図１Ｂの矢印Ｃに示す方向に回転させられる結果、ゼンマイ７がシャフト５の周りに圧縮させられていく。
【００２６】
ダンパープーリ１０とゼンマイプーリ６の外周端面２２、２３どうしは、互いに接触しているので、ゼンマイプーリ６の矢印Ｃ方向の回転に対応して、ダンパープーリ１０とダンパーシャフト８は図１Ｂの矢印Ｄに示す方向に回転させられる。ダンパープーリ１０とゼンマイプーリ６の外周端面２２、２３は、一例として、ゴムにより形成されているので互いに接触している限りは、すべることがなく、ゼンマイプーリ６の回転にダンパープーリ１０が依存することとなる。ダンパー９は図２に示すように、ダンパーシャフト８の周りに略く字状に折れ曲がった複数枚のダンパーブレード９Ａが円周方向に配置されており、ダンパー９内は粘性オイル等の粘性媒体９ｂで充填されている。引戸を開けるときは、ダンパーブレード９Ａが矢印Ｄ方向（図１Ｂの矢印Ｄ方向）に回転させられるので粘性媒体９Ｂの抵抗が殆どかからなく、ダンパープーリ１０とゼンマイプーリ６の外周端面２２、２３どうし接触により、ゼンマイプーリ６の回転に対応してダンパープーリ１０が回転する。
【００２７】
引戸を開けた状態から自閉式引戸クローザ１により図１Ｂの矢印Ｊ方向に引戸を閉じるときは、圧縮されたゼンマイ７の弾性復帰力により、図１Ｂの矢印Ｅ方向にゼンマイプーリ６が回転させられ、ワイヤー２０が図１Ｂの矢印Ｆ方向に移動して、ワイヤー２０がゼンマイプーリ６に巻き取られていく。このとき、ゼンマイ７の弾性復帰力がスプリング１８の離間する方向への付勢力よりも大きいため、ワイヤー２０の緊張により、ワイヤー２０を案内しているフリープーリ１１には図１Ｂの矢印Ｇに示す方向に力が作用する。その結果、ダンパープーリ１０の外周端面２２がゼンマイプーリ６の外周端面２３に確実に接触し、ダンパープーリ１０は図１Ｂの矢印Ｈ方向に回転させられる。
【００２８】
ダンパープーリ１０とダンパーシャフト８は一体回転しており、ダンパープーリ１０が矢印Ｈ方向に回転すると、ダンパーブレード９Ａは、図２の矢印Ｉに示す方向に回転させられるが、粘性媒体９Ｂの高い抵抗を受けるため、回転抵抗が発生し回転が遅くなってダンパー機能が発生する。そのため、ゼンマイ７の弾性復帰力によりゼンマイプーリ６が速く回転しようとするが、ダンパー９の回転抵抗によりダンパープーリ１０が遅く回転するのでゼンマイプーリ６もゆっくりと回転する。ゼンマイプーリ６がゆっくり回転するので、ワイヤー２０がゆっくりとゼンマイプーリ６にまきとられていき、引戸はゆっくりと閉じられていくこととなる。
【００２９】
上述した構成は、ダンパーを利用して、引戸を自動的にゆっくりと閉じる場合について説明したが、例えば、部屋を暖房中であったり、冷房中であるときなどは、引戸を早く閉じようとすることがある。引戸を手動で早く閉める際の自閉式引戸クローザの動きについて図３を参照しながら説明する。引戸が手動で早く閉じると、自閉式引戸クローザ１は、図３の矢印Ｋ方向に早く移動させられていく。すると、ゼンマイユニット３のゼンマイ７がワイヤー２０を巻き取る力（ゼンマイ７の弾性復帰力）に手動での移動による力が加わるため、スプリング１８の力が勝りダンパーユニット４がゼンマイユニット３から離間する方向に移動していく。ダンパーユニット４がゼンマイユニット３から離間するとダンパープーリ１０の外周端面２２とゼンマイプーリ６の外周端面２３との接触が解除され、ダンパー機能が働かなくなる。そのため、ワイヤー２０はフリープーリ１１を介してゼンマイ７の弾性復帰力のみで高速でもってゼンマイプーリ６に巻き取られていく。そして、引戸が完全に閉じられると、ワイヤー２０の巻き取りが完了する。
【００３０】
ワイヤー２０の巻き取り中は、ゼンマイ７の力により緊張された状態を維持しているので、フリープーリ１１のところでのワイヤー２０の緩みや外れが発生しないが、予期せぬ事情でワイヤー２０が外れるのを防止するために、突起２４を設けておくことが望ましい。ワイヤー外れ防止の突起２４は、フリープーリ１１でワイヤーの方向が大きく曲げられる位置に設けるのが望ましく、フリープーリ１１と僅かな隙間を維持する程度の間隔で配置することが望ましい。
【００３１】
従来、手動で引戸を早く閉じる際には、ダンパー機能を解除することが出来なかったので、ワイヤーの巻き取りが間に合わずダンパーのところでワイヤーが弛んでしまったり、ダンパープーリから外れてしまうことがあった。本願発明の上述の構成では、ダンパー機能を解除することができるので、ワイヤーが弛むことなく、また外れることなく巻き取ることができる。また、ゼンマイプーリとダンパープーリの外周端面どうしの接触或いは係合は、図１Ｃの下に示すように、Ｖ溝２３Ａと山形状或いはＲ形状２２Ａとの組み合わせでもよい。
【００３２】
上述した実施形態では、引戸を正面からみて、左方向に開けて、右方向に閉める場合の一例を示したが、逆に右方向に開けて、左方向に閉める場合の実施形態について説明する。図４は、引戸を左方向に移動させて閉じることが可能な自閉式引戸クローザの一例が示されている。この自閉式引戸クローザ１Ａは、ケース本体２とゼンマイユニット３とダンパーユニット４Ａと反転プーリ２５とワイヤー２０から主に構成されている。ケース本体２とゼンマイユニット３とワイヤー２０の構成については、図１に示した構成と同一でありその詳細な説明はここでは省略する。ダンパーユニット４Ａの基本的構成は図１に示した構成と同じであり、ダンパー９に組み込まれたダンパーシャフト８とダンパープーリ１０が一体回転可能であり、ダンパー９とダンパープーリ１０との間にフリープーリ１１が自由回転可能に配置されている。ダンパーユニット４Ａは、ケース本体２に形成されたスリット２６内を移動可能であり、ダンパープーリ１０の外周端面２２をゼンマイプーリ６の外周端面２３から離間する方向に移動可能である。ダンパープーリ１０の上側には、自由回転可能な反転プーリ２５が配置され、ダンパープーリ１０と反転プーリ２５でもって、略逆Ｓ状にワイヤー２０が案内されている。
【００３３】
引戸を開けて、その後、自閉式クローザにより閉じる場合の機構は、反転プーリ２５によりワイヤーが反転している以外は図１に示す機構と同様であり、詳細な説明は省略する。引戸を手動で閉じた場合は、スプリング１８Ａの一端がダンパーユニット４Ａに係止されているため、ダンパーユニット４Ａがスリット２６内で移動する。そのため、ダンパーユニット４Ａがゼンマイユニット３から離間する方向に移動し、ダンパープーリ１０の外周端面２２とゼンマイプーリ６の外周端面２３との接触が解除される。その結果、ワイヤー２０は、緊張を維持した状態で反転プーリ２５、フリープーリ１１を経由してゼンマイプーリ６にゼンマイの弾性復帰力でもって高速に巻き取られていく。
【００３４】
図４に示す自閉式引戸クローザ１Ａでは、スプリング１８Ａにより、ダンパーユニット４を図でみて左方向に移動させて、ワイヤー２０を高速で巻き取っているが、スプリング１８Ａ以外の離間手段によりダンパーユニットを移動させてもよい。図５には、別の実施形態が示されており、錘を用いてダンパーユニットを離間される一例が示されている。この自閉式引戸クローザ１Ｂでは、基本的構成は図４に示す構成と同様であり、同一構成には同一符号を付し、その詳細な説明はここでは省略する。ダンパーユニット４Ｂには、略く字状に曲がっている支持プレート１２Ｂ、１３Ｂが配置され、支持プレート１２Ｂ、１３Ｂの一端で支軸２７に揺動可能に取り付けられている。支持プレート１２Ｂ、１３Ｂの他端では、錘が垂下されており、また、支持プレート１２Ｂ、１３Ｂの略中間のく字状に折れ曲がったところには、ダンパーシャフト８Ｂを支持している。
【００３５】
引戸を開けて、その後、自閉式クローザにより閉じる場合の機構は、反転プーリ２５によりワイヤーが反転している以外は図１及び図４に示す機構と同様であり、詳細な説明はここでは省略する。この場合、錘の重さによる下方向への力よりもゼンマイの力の方が大きいため、ダンパープーリ１０の外周端面２２とゼンマイプーリ６の外周端面２３とが接触した状態となっている。手動で引戸を閉じると、錘の力が打ち勝ち、その結果、支持プレート１２Ｂ、１３Ｂが矢印で示す方向に移動（揺動）され、ダンパープーリ１０がゼンマイプーリ６から離間する。そして、ワイヤー２０がゼンマイの力により、反転プーリ２５とフリープーリ１１に案内され、かつ、緊張状態を維持してゼンマイプーリ６に高速で巻き取られていく。
【００３６】
上述した自閉式引戸クローザでは、ゼンマイプーリの外周端面とダンパープーリの外周端面とが直接接触してダンパー機能を発生させたり、ダンパー機能を解除していたが、それらの外周端面どうしを接触させないで同様の効果を発生させることができる型式がある。図６には、本発明に係る自閉式引戸クローザであって、中間プーリを介してダンパー機能を発生或いは解除する実施形態を示している。この自閉式引戸クローザ１Ｃの本体ケース２、ゼンマイユニット３ダンパープーリ４Ｃ及びワイヤー２０の基本的構成は、図１に示す構成と同様であり、同一構成については同一符号を付し、その詳細な説明はここでは省略する。この構成においては、自由回転可能な中間プーリ２９が配置され、この中間プーリ２９の外周端面３０がダンパープーリ６の外周端面２２と接触するとともに、ゼンマイプーリ６の外周端面２３に接触している。なお、ワイヤー２０は、中間プーリ２９を経由することなく、フリープーリ１１に案内されて、ゼンマイプーリ６巻き取られていく。
【００３７】
引戸を開けると、ゼンマイプーリ６が回転させられ、その回転により中間プーリ２９が回され、更に、ダンパープーリ１０が回転させられる。このとき、ワイヤー２０は、ゼンマイプーリ６からフリープーリ１１に案内されて送り出される。自閉式引戸クローザ１Ｃにより引戸を自動的に閉じる場合は、ダンパープーリ１０によりダンパー機能が中間プーリ２９に伝達され、さらに、中間プーリ２９からゼンマイプーリ６にダンパー機能が伝達されて、引戸がゆっくりと閉じられる。引戸を手動で閉じると、スプリング１８Ｃの力が勝り、スプリング１８Ｃにより支持プレート１２Ｃ、１３Ｃが支軸２７Ｃを支点として矢印に示す方向に移動（揺動）させられる。その結果、ダンパープーリ１０は中間プーリから離間するのでダンパー機能の伝達が解除され、ワイヤー２０はフリープーリ１１を経由してゼンマイプーリ６に緊張を維持しながら迅速に巻き取られて行くことになる。
【００３８】
上述した自閉式引戸クローザでは、ダンパープーリとダンパーとの間にフリープーリを配置した構成であった、フリープーリを独立させて配置することも可能であり、その一例を図７に示す。この自閉式引戸クローザ１Ｄでは、ダンパーユニット４Ｄにおいて支持プレート１２Ｄ、１３Ｄの下側でダンパー９Ｄとダンパープーリ１０Ｄが配置され、支持プレート１２Ｄ、１３Ｄの上側でフリープーリ１１Ｄが配置されている。引戸を手動で開けたり、自動的に閉める場合は、ダンパープーリ１０Ｄの外周端面２２Ｄとゼンマイプーリ６の外周端面２３と接触するとともにワイヤー２０がゼンマイプーリ６とフリープーリ１１Ｄとの間を行き来する。引戸を手動で閉めると、スプリング１８Ｄにより支持プレート１２Ｄ、１３Ｄが支軸２７Ｄを支点として矢印に示す方向に移動（揺動）させられダンパープーリ１０Ｄがゼンマイプーリ６から離間する。従って、ワイヤー２０はフリープーリ１１Ｄに案内され緊張を維持した状態で迅速にゼンマイプーリ６に巻き取られていく。
【００３９】
この自閉式引戸クローザの構成では、フリープーリをダンパー及びダンパープーリとは独立して設けているので、本体ケース２の厚さを薄くすることができる。一方、フリープーリをダンパーとダンパープーリ間に配置した構成では、フリープーリを独立させている構成と比べ厚さが必要となるが、ダンパー、ダンパーユニット及びフリープーリを同軸で一部品にまとめることができ、自閉式クローザの小型化が実現可能となる。
【００４０】
上述した自閉式引戸クローザの構成では、引戸を開けた後、ゼンマイの弾性復帰力により直ぐに引戸が閉じ始めているが、引戸を開けた状態で若干の時間、引戸を開放させておくか、引戸の閉止をゆっくり開始させることも可能である。図８には、本発明に係る別な実施形態を示しており、引戸の閉止を遅延させる構成が示されている。図８に示す構成の自閉式引戸クローザ１Ｅの本体ケース２、ゼンマイユニット３、ダンパーユニット４Ａ、反転プーリ２５及びワイヤー２０の構成は、図４に示す構成と同一であるので、それらの詳細な説明はここでは省略する。
【００４１】
図８Ａに示すように、ゼンマイユニット３の下側には、引戸閉止の遅延機構が設けられ、接触部材３１を有し、接触部材３１の一方端部には側方フレーム３２と当接可能なゴムＲが取り付けられている。接触部材３１は戻しスプリング３３により図でみて右方向に移動可能に付勢されている。接触部材３１の下側には歯車３４が形成されており、接触部材３１の下方に配置されたダンパー３５の歯車３６とかみ合っている。ダンパー３５は、一例として図２に示すような構成となっておりダンパーが時計方向に回転させられるときは抵抗が発生してダンパー機能が生じ、反時計方向に回転させられるときはダンパー機能が発生しない構成となっている。
【００４２】
図８Ｂに示すように、引戸を閉じていくと家屋の壁等に設置した側方フレーム３２にゴムＲが当接し接触部材がゼンマイプーリ６の外周端面２３に接触する。その後、ゼンマイプーリ６と接触部材３１との接触抵抗や戻しスプリング３３の右方向への付勢力とダンパー３５によるダンパー抵抗とが働き、ゼンマイプーリ６が回転し始めるのが遅延させられる。その後、徐々にゼンマイプーリ６が回転し始め、ゼンマイプーリ６と接触部材３１との接触が解除されると、図４で説明したように、ゼンマイプーリが回転させられていく。このような遅延機構を設けていると、複数の人が出入りした際や荷物等の搬入・搬出に際し引戸を手等で押さえておく必要がなくなる。また、接触部材の接触力（ゼンマイプーリに対する押し付け力）を調整することで遅延時間の調整が可能である。
【００４３】
また、ストッパーを設けて引戸を開けた状態、或いは任意の位置で、引戸を維持することが可能であり、その一例を図９に示す。図９Ａに示す構成の自閉式引戸クローザ１Ｆの本体ケース２、ゼンマイユニット３、ダンパーユニット４Ａ、反転プーリ２５及びワイヤー２０の構成は、図４に示す構成と同一であるので、それらの詳細な説明はここでは省略する。この自閉式引戸クローザ１Ｆには、図で見て、ゼンマイプーリの右側にストップ機構が設けられている。このストップ機構は、ストップローラ３７が設けられ、自閉式引戸クローザ１Ｆが移動すると、ストップローラ３７が上フレーム４２と接触して自由回転することができる。ストップローラの下方には、ストップロッド３８が設けられ、ストップロッド３８の頂部にはロックプレート３９が取り付けられている。このロックプレート３９は軸４０を中心に左右に揺動自在であり、かつ、両側でバネ４１、４１により支持されている。
【００４４】
この引戸を開けた状態の任意の位置で停止させるには、図９Ｂに示すようにストップロッド３９を矢印のように上方向に押し上げて、ロックプレート３０をストップローラ３７に食い込ませていく、或いは挟み込ませていく。すると、ストップローラ３７はロックプレート３９により回転することできないため、上フレーム４２接触した状態が維持され、ゼンマイによりワイヤー２０を引き込むことができなくなる。このようにして、自閉式引戸クローザ１Ｆは、移動が阻止されるので、引戸は開けた状態を維持しつつけることができる。また、この状態から、引戸を移動させると、図９Ｃに示すようにストップローラ３７が強制的に回転させられので、ロックプレート３９がバネ４１、４１の付勢力に打ち勝って軸４０を中心に揺動する。この揺動が更に大きくなるとロックプレート３９がストップーローラ３７から外れ、引戸が移動することができる。
【００４５】
本発明の自閉式引戸クローザにおいて、ダンパーユニットの一例として図１０に示すダンパーユニットについて説明する。このダンパーユニット４´はダンパー９´に組み込まれたダンパーシャフト８´とダンパープーリ１０´とが一体回転可能である。更に、ダンパー９´の外周のところにすべり軸受４３を介して円環状のフリープーリ１１´が配置されている。従って、フリープーリ１１´はダンパ−９´に対し自由回転可能となっており、このような構成にすると、ダンパーユニットの厚さを薄く薄くすることができ、自閉式引戸クローザの小型化、軽量化が実現できる。
【００４６】
上述した実施形態では、ゼンマイプーリの外周端面とダンパープーリの外周端面とが接触してダンパー機能を伝達する際は、外周端面どうしがすべらない構成とすることが必要であり、一例として、外周端面どうしがゴムである場合をあげることができる。また、別の例として、それぞれの外周端面に歯車状の溝と弾性体を係合させて、すなわち、互いに係合させてダンパー機能を伝達することも可能である。図６に示す実施形態では、中間プーリを介してダンパー機能を伝達した構成を説明したが、この場合は中間プーリの外周端面にも弾性体や歯車状の溝を形成してゼンマイプーリ、中間プーリ、ダンパープーリでもってダンパー機能を確実に伝達することが可能である。また、牽引手段として、ワイヤーを一例として実施形態を説明してきたが、他の牽引手段としては、ベルト、ロープ、テープ、バンド、チェーン等を例示することができる。更に、離間手段として、スプリング、錘を一例をして説明したが、その他の離間手段としては、ゴムを例示することができる。
【図面の簡単な説明】
【００４７】
【図１Ａ】本発明に係る自閉式引戸クローザの実施形態の一例の斜視図である。
【図１Ｂ】本発明に係る自閉式引戸クローザの実施形態の一例の側面方向からの説明図である。
【図１Ｃ】本発明に係る自閉式引戸クローザの実施形態の一例の上面方向からの説明図である。
【図２】本発明に係る自閉式引戸クローザに用いるダンパーの一例の説明図である。
【図３】本発明に係る自閉式引戸クローザの実施形態の一例の手動で閉じた形態を説明した説明図である。
【図４】本発明に係る自閉式引戸クローザの実施形態の別な例を説明した説明図である。
【図５】本発明に係る自閉式引戸クローザの実施形態の別な例を説明した説明図である。
【図６】本発明に係る自閉式引戸クローザの実施形態の別な例を説明した説明図である。
【図７】本発明に係る自閉式引戸クローザの実施形態の別な例を説明した説明図である。
【図８Ａ】本発明に係る自閉式引戸クローザの実施形態の別な例を説明した説明図であって、引戸を遅延させる構成の説明図である。
【図８Ｂ】本発明に係る自閉式引戸クローザの実施形態の別な例を説明した説明図であって、引戸を遅延させる構成の主要部を拡大した説明図である。
【図９Ａ】本発明に係る自閉式引戸クローザの実施形態の別な例を説明した説明図であって、ストッパーを備えた構成の説明図である。
【図９Ｂ】本発明に係る自閉式引戸クローザの実施形態の別な例を説明した説明図であって、ストッパーの主要部を拡大した説明図である。
【図９Ｃ】本発明に係る自閉式引戸クローザの実施形態の別な例を説明した説明図であって、ストッパーの主要部を拡大した説明図である。
【図１０】本発明に係る自閉式引戸クローザの実施形態の別な例を説明した説明図である。
【図１１】従来の自閉式引戸クローザの一例を示す説明図である。
【図１２】従来の自閉式引戸クローザの別な例を示す説明図である。
【符号の説明】
【００４８】
１  自閉式引戸クローザ
２  ケース本体
３  ゼンマイユニット
４  ダンパーユニット
５  シャフト
６  ゼンマイプーリ
７  ゼンマイ
８  ダンパーシャフト
９  ダンパー
１０  ダンパープーリ
１１  フリープーリ
１２，１３  支持プレート
１４  支持孔
１５  孔
１６  固定シャフト
１７  突起（プレート側）
１８  スプリング
１９  突起（ケース本体側）
２０  ワイヤ−
２１  環状部
２２  ダンパープーリの外周端面
２３  ゼンマイプーリの外周端面
【図１Ａ】
2007126832.tif 000003
【図１Ｂ】
2007126832.tif 000004
【図１Ｃ】
2007126832.tif 000005
【図２】
2007126832.tif 000006
【図３】
2007126832.tif 000007
【図４】
2007126832.tif 000008
【図５】
2007126832.tif 000009
【図６】
2007126832.tif 000010
【図７】
2007126832.tif 000011
【図８Ａ】
2007126832.tif 000012
【図８Ｂ】
2007126832.tif 000013
【図９Ａ】
2007126832.tif 000014
【図９Ｂ】
2007126832.tif 000015
【図９Ｃ】
2007126832.tif 000016
【図１０】
2007126832.tif 000017
【図１１】
2007126832.tif 000018
【図１２】
2007126832.tif 000019